【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
バルーンカテーテルであって、
カテーテルシャフトと、
前記カテーテルシャフトに結合された膨張可能バルーンと、
前記カテーテルシャフトに密封的に結合された近位端部及び開放端である遠位端部を有しかつ前記バルーンを少なくとも部分的に取り囲むように配置された開放スリーブとを含み、
前記バルーンを膨張させることにより前記スリーブが拡張状態まで拡張し、前記スリーブが前記拡張状態にあるときに前記バルーンを収縮させることにより、前記スリーブと前記収縮させたバルーンとの間に開放キャビティが形成され、それによって該キャビティ内にデブリを捕捉して保持するための吸引力が発生するように、前記スリーブ及び前記バルーンを構成したことを特徴とするカテーテル。
【請求項２】
当該カテーテルが、前記スリーブ上に配置された展開可能なステントをさらに含むことを特徴とする請求項１に記載のカテーテル。
【請求項３】
当該カテーテルがオーバー・ザ・ワイヤ型カテーテルであり、
前記カテーテルシャフトが、
遠位端部、近位端部及びルーメンを有する中空の外側導管と、
遠位部分、近位部分及びルーメンを有し、かつガイドワイヤの通過に適した中空の内側導管とを含み、前記内側導管が、前記外側導管の前記ルーメン内に、体内での当該カテーテルの操作中は常に前記内側導管の前記遠位部分の遠位端部が前記外側導管の前記遠位端部を越えて延出するように配置されており、
前記バルーンの前記近位端部が前記外側導管の前記遠位端部に密封的に結合されており、前記バルーンの前記遠位端部が前記内側導管の前記遠位端部に密封的に結合されており、かつ前記スリーブの前記近位端部が前記カテーテルシャフトの前記外側導管の前記遠位端部に密封的に結合されており、
当該カテーテルが、
前記外側導管の前記ルーメンに流体連通する、前記膨張可能バルーン内への膨張流体の流入排出のための流体ポートと、
当該カテーテルの前記遠位端部に配置された、前記内側導管の前記ルーメン内にガイドを挿入するのに適した開口部を有するガイドワイヤポートとを含むことを特徴とする請求項１または２に記載のカテーテル。
【請求項４】
当該カテーテルが迅速交換型カテーテルであり、
前記カテーテルシャフトが、
遠位端部、近位端部及びルーメンを有する中空の外側導管と、
ガイドワイヤの通過に適した中空の内側導管とを含み、
前記内側導管が角度付けされた近位部分を有しており、該角度付けされた近位部分が、外側導管の壁部に固定して結合されかつ前記外側導管の前記壁部を密封的に貫通しており、それによって、ガイドワイヤを挿入するための開口部が前記外側導管に形成されており、
前記内側導管が真っ直ぐな遠位部分及びルーメンを有しており、前記内側導管が前記外側導管の前記ルーメン内に配置されており、かつ前記内側導管の前記遠位部分の遠位端部が前記外側導管の前記遠位端部を越えて延出するように配置されており、
前記膨張可能バルーンが、近位端部及び遠位端部を有し、前記バルーンの前記近位端部が前記外側導管の前記遠位端部に密封的に結合されており、前記バルーンの遠位端部が前記内側導管の前記遠位端部に密封的に結合されており、かつ前記スリーブの前記近位端部が前記外側導管の前記遠位端部に密封的に結合されており、
当該カテーテルが、前記外側導管の前記ルーメンに流体連通する、前記膨張可能バルーンへの膨張流体の流入排出のための流体ポートを含むことを特徴とする請求項１または２に記載のカテーテル。
【請求項５】
前記カテーテルシャフトが、その内部に、互いから流体的に分離された少なくとも３つの中空通路を含み、
前記少なくとも３つの中空通路が、
ガイドワイヤを挿入するための第１の中空通路と、
前記バルーン内に膨張流体を流入させるため及び前記バルーンから膨張流体を排出させるための第２の中空通路と、
前記バルーンと前記スリーブとの間の前記キャビティに流体連通させた第３の中空通路とを含み、それによって、前記キャビティ内または前記第３の中空通路内における前記デブリを捕捉及び保持を助けるために、外部吸引源からの吸引力を前記第３の中空通路を通して前記キャビティに加えることができるように構成したことを特徴とする請求項１または２に記載のカテーテル。
【請求項６】
前記カテーテルシャフトが、第１の導管、第２の導管及び第３の導管を含み、
前記第１の導管が、前記第２の導管内に、前記第３の導管の遠位端部が前記第２の導管の遠位端部を越えて遠位方向に延出するように配置されており、
前記第１の中空通路が、前記第１の導管のルーメンであり、
前記第２の導管が、前記第３の導管のルーメン内に、前記第２の導管の外面と前記第３の導管の内面との間に画定される環状空間が前記第３の中空通路となるように配置されており、
前記スリーブの前記近位端部が前記第３の導管に密封的に結合されており、前記バルーンの前記近位端部が前記第２の導管の前記遠位端部に密封的に結合されており、かつ前記バルーンの前記遠位端部が、前記第２の導管の前記遠位端部を越えて突出する前記第１の導管の遠位端部に密封的に結合されていることを特徴とする請求項５に記載のカテーテル。
【請求項７】
当該カテーテルの前記近位端部が、
前記第３の通路に流体連通する、前記第３の通路に吸引力を加えるため及びコントラスト増強流体を体腔へ注入するための流体ポートと、
第２の通路に流体連通する、前記バルーンを膨張及び収縮させるための膨張ポートと、
前記第１の中空通路にガイドワイヤを挿入するためのガイドワイヤポートとを含むことを特徴とする請求項６に記載のカテーテル。
【請求項８】
前記カテーテルシャフトが、内側導管、中間導管及び外側導管を含み、
前記内側導管の遠位端部が前記中間導管の遠位端部を越えて遠位方向に延出するように、前記内側導管が前記中間導管内に、該中間導管が前記外側導管内にそれぞれ配置されており、前記内側導管が、前記中間導管の前記遠位端部を越えて遠位方向に突出する真っ直ぐな遠位部分と、前記中間導管の壁部を密封的に貫通しかつ前記外側導管の壁部を密封的に貫通しており、それによって、ガイドワイヤを挿入するための開口部を前記外側導管に形成している角度付けされた近位部分とを有しており、
前記第１の中空通路が前記内側導管のルーメンであり、前記第２の中空通路が前記内側導管と前記中間導管との間の空間を含み、前記中間導管が、前記外側導管のルーメン内に、前記中間導管と前記外側導管との間に画定された前記空間が前記第３の中空通路を含むように配置されており、
前記スリーブの前記近位端部が前記外側導管の前記遠位端部に密封的に結合されており、前記バルーンの前記近位端部が前記中間導管の前記遠位端部に密封的に結合されており、かつ前記バルーンの前記遠位端部が、前記中間導管の前記遠位端部を越えて突出する前記内側導管の前記遠位端部に密封的に結合されていることを特徴とする請求項５に記載のカテーテル。
【請求項９】
当該カテーテルの前記近位端部が、
前記第３の通路に吸引力を加えるため及びコントラスト増強流体を体腔へ注入するための前記第３の通路に流体連通する流体ポートと、
前記バルーンを膨張及び収縮させるための前記第２の通路に流体連通する膨張ポートとを含み、
前記外側導管の前記壁部に形成され、前記内側導管の前記ルーメンにアクセスする前記開口部が、前記外側導管の前記壁部の近位端部と遠位端部との間に配置されていることを特徴とする請求項８に記載のカテーテル。
【請求項１０】
前記スリーブが遠位端部を有し、
前記バルーンが前記収縮状態にあるときに、前記スリーブの前記遠位端部が前記バルーンの前記遠位端部を越えて遠位方向に延出するか、
前記バルーンが前記収縮状態にあるときに、前記スリーブの前記遠位端部が前記カテーテルシャフトに沿って前記バルーンの前記遠位端部と同じ長手方向位置へ遠位方向に延出するか、
前記バルーンが前記収縮状態にあるときに、前記バルーンの前記遠位端部が前記スリーブの前記遠位端部を越えて遠位方向に延出するかのいずれかであるように構成したことを特徴とする請求項１〜９の何れか一項に記載のカテーテル。
【請求項１１】
当該カテーテルが、前記バルーンを収縮させた後に前記スリーブを前記拡張状態において支持するために前記バルーンと前記スリーブとの間に配置されたスリーブ支持部材をさらに含むことを特徴とする請求項１〜１０のいずれか一項に記載のカテーテル。
【請求項１２】
前記スリーブ支持部材が遠位端部を有し、
前記スリーブが前記拡張状態にあるときに、前記スリーブ支持部材の前記遠位端部が前記スリーブの前記遠位端部と同じ距離まで延びているか、
前記スリーブが前記拡張状態にあるときに、前記スリーブの前記遠位端部が前記スリーブ支持部材の前記遠位端部を越えて遠位方向に延出するか、
前記スリーブが前記拡張状態にあるときに、前記スリーブ支持部材の前記遠位端部が前記スリーブの前記遠位端部を越えて遠位方向に延出するかのいずれかであるように構成したことを特徴とする請求項１１に記載のカテーテル。
【請求項１３】
前記スリーブ支持部材が、拡張可能な弾性部材、圧縮された弾性部材、拡張可能なバネ様部材、圧縮されたバネ様部材、コイル部材、圧縮された弾性コイル部材またはらせん状コイル部材から選択されたものであることを特徴とする請求項１１または１２に記載のカテーテル。
【請求項１４】
前記スリーブが、穿孔を有する有孔スリーブであり、
当該カテーテルが、前記スリーブと前記バルーンとの間に配置された物質をさらに含み、それによって、前記バルーンの膨張時に前記物質の少なくとも一部が前記穿孔から押し出されて、当該カテーテルが配置されている体腔壁に適用されるように構成したことを特徴とする請求項１〜１３のいずれか一項に記載のカテーテル。
【請求項１５】
前記物質が、治療用物質、診断用物質、薬剤、治療用組成物、医薬物、診断用組成物、生理学的活性薬剤、生化学的活性薬剤、１若しくは複数の生細胞、ＤＮＡ、ＲＮＡ、核酸、治療部位の細胞に遺伝物質を送達するためのベクター、抗炎症薬、抗再狭窄剤、細胞増殖抑制剤, a 平滑筋増殖抑制剤、パクリタキセル、ラパマイシン、エベロリムス、血管作用薬、血管拡張薬、血管収縮薬、抗生物質、抗凝固薬、血小板凝集阻害薬、線維化抑制薬、薬学的に許容される賦形剤、油脂ベースの賦形剤、またはそれらの任意の組合せから選択された１若しくは複数の材料を含むことを特徴とする請求項１４に記載のカテーテル。
【請求項１６】
前記有孔スリーブが、前記バルーンの膨張時に前記物質を前記スリーブの外面に押し出すことを可能にする開放キャビティを有するスポンジ様構造を有する材料を含むことを特徴とする請求項１４に記載のカテーテル。
【請求項１７】
当該カテーテルが、その遠位端部において、前記カテーテルシャフトに取り付けられた柔軟性先端部をさらに含み、
前記柔軟性先端部が、当該カテーテルを体腔に挿入している間及び当該カテーテルの前記遠位端部を前記体腔内の治療部位に向けて進めている間に前記バルーンの遠位端部及び前記スリーブの前記遠位端部のうちの１つ以上を固定するための保持部材を含むことを特徴とする請求項１〜１６のいずれか一項に記載のカテーテル。
【請求項１８】
前記バルーンを膨張させる前に前記スリーブが円形断面を有し、
前記バルーンを膨張させる前に、前記バルーンが、
前記カテーテルシャフトの一部の周囲に折り畳まれている形態、
当該カテーテルのクロッシングプロファイルを低減させるために、前記バルーンを膨張させる前に前記スリーブ及び前記バルーンの両者が前記カテーテルシャフトの一部の周囲に折り畳まれている形態、及び
当該カテーテルのクロッシングプロファイルを低減させるために、前記バルーンを膨張させる前に前記バルーンが前記カテーテルシャフトの一部の周囲に折り畳まれており、かつ前記バルーン上に前記スリーブが折り畳まれている形態からなる群から選択されたいずれかの形態にあるように構成されることを特徴とする請求項１〜１７のいずれか一項に記載のカテーテル。
【請求項１９】
前記スリーブが、コンプライアント材料、セミコンプライアント材料、ノンコンプライアント材料、伸張可能な材料、伸張可能でない材料、アニール処理された伸張可能な材料、二軸配向工程によって分子配向された伸張可能でない延伸材料、またはそれらの任意の組合せから選択された材料を含むことを特徴とする請求項１〜１８のいずれか一項に記載のカテーテル。
【請求項２０】
前記バルーンが、円錐状またはテーパ状の端部を有する円筒状バルーン、２つ以上の円筒状部分を有しかつ該円筒状部分のうちの少なくともいくつかの部分の径が異なる段付きバルーン、円錐状または円錐台状の長手方向断面形状を有するバルーン、テーパ状の長手方向断面形状を有するバルーン、非線形に変化する長手方向断面形状を有するバルーン、少なくとも１つの波状 部分を有するバルーン、均一な壁厚を有するバルーン及び不均一な壁厚を有するバルーンからなる群から選択されたものであることを特徴とする請求項１〜１９のいずれか一項に記載のカテーテル。